【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
所定の期間内に複数の視聴番組を選択するザッピング動作によって選択された各視聴番組の特定のシーンの静止画像又は動画像を蓄積する工程と、
前記ザッピング動作中において、蓄積された各視聴番組の画像を、選択された時間の長さに応じた表示形態で提示する工程と、
提示された前記複数の視聴番組の画像の中から選択された画像に対応する番組を選局して表示させる工程とを含むことを特徴とする番組選択方法。
【請求項２】
前記提示工程において、前記複数の視聴番組の画像を、視聴番組が選択された順番に従って配列して提示することを特徴とする請求項１に記載の番組選択方法。
【請求項３】
前記提示工程において、各視聴番組が選択された時間の長さに応じた数の静止画像、又は各視聴番組が選択された時間の長さに応じたフレーム数の動画像を提示することを特徴とする請求項１に記載の番組選択方法。
【請求項４】
さらに、前記ザッピング動作の開始前に視聴されていた番組の特定のシーンの静止画像又は動画像を蓄積する工程を含み、
前記提示工程において、前記ザッピング動作の開始前に視聴されていた番組の画像を選択可能に提示することを特徴とする請求項１に記載の番組選択方法。
【請求項５】
前記ザッピング動作中において、視聴者の嗜好度の高い番組から順に配列した選局リストに従って順番に番組が選択可能であることを特徴とする請求項１に記載の番組選択方法。
【請求項６】
所定の期間内に複数の視聴番組を選択するザッピング動作の開始前に視聴されていた番組の特定のシーンの静止画像又は動画像を蓄積する第１の蓄積工程と、
前記ザッピング動作によって選択された前記複数の視聴番組の特定のシーンの静止画像又は動画像を蓄積する第２の蓄積工程と、
前記ザッピング動作中において、前記第２の蓄積工程で蓄積された前記複数の視聴番組の画像を、視聴番組が選択された順番に従って配列して選択可能に提示するとともに、前
記第１の蓄積工程で蓄積された画像を選択可能に提示する工程と、
提示された複数の画像の中から選択された画像に対応する番組を選局して表示させる工程とを含むことを特徴とする番組選択方法。
【請求項７】
前記提示工程において、前記第１の蓄積工程で蓄積された画像を、前記ザッピング動作により選択中の視聴番組に対応する画像に隣接する位置に選択可能に提示することを特徴とする請求項６に記載の番組選択方法。
【請求項８】
所定の期間内に複数の視聴番組を選択するザッピング動作によって選択された各視聴番組の特定のシーンの静止画像又は動画像を蓄積する蓄積手段と、
前記ザッピング動作中において、前記蓄積手段により蓄積された各視聴番組の画像を、選択された時間の長さに応じた表示形態で提示する提示手段と、
前記提示手段により提示された前記複数の視聴番組の画像の中から選択された画像に対応する番組を選局して表示させる表示制御手段とを含むことを特徴とする番組選択制御装置。
【請求項９】
前記提示手段は、前記複数の視聴番組の画像を、視聴番組が選択された順番に従って配列して提示することを特徴とする請求項８に記載の番組選択制御装置。
【請求項１０】
前記提示手段は、各視聴番組が選択された時間の長さに応じた数の静止画像、又は各視聴番組が選択された時間の長さに応じたフレーム数の動画像を提示することを特徴とする請求項８に記載の番組選択制御装置。
【請求項１１】
前記蓄積手段は、さらに、前記ザッピング動作の開始前に視聴されていた番組の特定のシーンの静止画像又は動画像を蓄積し、
前記提示手段は、前記蓄積手段により蓄積された、前記ザッピング動作の開始前に視聴されていた番組の画像を選択可能に提示することを特徴とする請求項８に記載の番組選択制御装置。
【請求項１２】
前記ザッピング動作中において、視聴者の嗜好度の高い番組から順に配列した選局リストに従って順番に番組が選択可能であることを特徴とする請求項８に記載の番組選択制御装置。
【請求項１３】
所定の期間内に複数の視聴番組を選択するザッピング動作の開始前に視聴されていた番組の特定のシーンの静止画像又は動画像、及び前記ザッピング動作によって選択された前記複数の視聴番組の特定のシーンの静止画像又は動画像を蓄積する蓄積手段と、
前記蓄積手段により蓄積された、前記ザッピング動作によって選択された前記複数の視聴番組の画像を、視聴番組が選択された順番に従って配列して選択可能に提示するとともに、前記蓄積手段により蓄積された、前記ザッピング動作の開始前に視聴されていた番組の画像を選択可能に提示する提示手段と、
前記提示手段により提示された複数の画像の中から選択された画像に対応する番組を選局して表示させる表示制御手段とを備えることを特徴とする番組選択制御装置。
【請求項１４】
前記提示手段は、前記ザッピング動作の開始前に視聴されていた番組の画像を、前記ザッピング動作により選択中の視聴番組に対応する画像に隣接する位置に選択可能に提示することを特徴とする請求項１３に記載の番組選択制御装置。
【手続補正２】
【補正対象書類名】明細書
【補正対象項目名】発明の名称
【補正方法】変更
【補正の内容】
【発明の名称】番組選択方法及び番組選択制御装置
【手続補正３】
【補正対象書類名】明細書
【補正対象項目名】０００１
【補正方法】変更
【補正の内容】
【０００１】
本発明は、番組の選択を行う番組選択方法及び番組選択制御装置に関する。
【手続補正４】
【補正対象書類名】明細書
【補正対象項目名】０００６
【補正方法】変更
【補正の内容】
【０００６】
本発明は、上記課題を解決する上で有効となる新たな番組選択方法を構築するためになされたものであり、その目的は、視聴者が、番組を選択するために各番組の映像を順次視聴した場合に、所望の番組を容易に識別できる番組選択方法及び番組選択制御装置を提供することにある。
【手続補正５】
【補正対象書類名】明細書
【補正対象項目名】０００７
【補正方法】変更
【補正の内容】
【０００７】
上記目的を達成するために、本発明に係る番組選択方法は、所定の期間内に複数の視聴番組を選択するザッピング動作によって選択された各視聴番組の特定のシーンの静止画像又は動画像を蓄積する工程と、ザッピング動作中において、蓄積された各視聴番組の画像を、選択された時間の長さに応じた表示形態で提示する工程と、提示された複数の視聴番組の画像の中から選択された画像に対応する番組を選局して表示させる工程とを含む。
また、本発明に係る他の番組選択方法は、所定の期間内に複数の視聴番組を選択するザッピング動作の開始前に視聴されていた番組の特定のシーンの静止画像又は動画像を蓄積する第１の蓄積工程と、ザッピング動作によって選択された複数の視聴番組の特定のシーンの静止画像又は動画像を蓄積する第２の蓄積工程と、ザッピング動作中において、第２の蓄積工程で蓄積された複数の視聴番組の画像を、視聴番組が選択された順番に従って配列して選択可能に提示するとともに、第１の蓄積工程で蓄積された画像を選択可能に提示する工程と、提示された複数の画像の中から選択された画像に対応する番組を選局して表示させる工程とを含む。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
本発明によれば、視聴者が、番組を選択するために各番組の映像を順次視聴した場合に、所望の番組を容易に識別できる番組選択方法及び番組選択制御装置を提供することができる。
【手続補正１３】
【補正対象書類名】明細書
【補正対象項目名】００２２
【補正方法】変更
【補正の内容】
【００２２】
図３にザッピング操作を行なった場合の画面遷移の様子を示した。視聴者は、最初にチャンネル番号１の音楽番組を視聴している場合を想定している。ここでは選局にはリモコン２０にある左右の矢印キー６０２の使用を想定しているが、Up/Downキー６０５を用い
ても良い。以下では左右の矢印キー６０２を使用して説明を行う。また、ここでは例として、チャンネル順の選局ではなく、視聴者の嗜好情報に基づいた選局を行なっている。そのため、ザッピング時に現れるチャンネル番号は不規則となる。図３では、視聴者は、チャンネル番号１の番組を視聴後、右矢印キー６０２を押すと、チャンネル番号４２、チャンネル番号１３３、チャンネル番号３と遷移していく。ここでは、制御部１０５は、嗜好情報として、番組を、嗜好度の高いものから順に並べた選局リスト（不図示）を保持している。